【手続補正書】
【提出日】平成20年9月11日(2008.9.11)
【手続補正１】
【補正対象書類名】明細書
【補正対象項目名】特許請求の範囲
【補正方法】変更
【補正の内容】
【特許請求の範囲】
【請求項１】  撮影レンズの予定結像面近傍に配置されるとともに、第１および第２の焦点検出領域に対応した複数の視野開口を備える視野マスクと、
前記視野マスクの前記複数の視野開口を透過した光束をそれぞれ集光する複数のレンズ部を備えるコンデンサーレンズと、
前記複数の視野開口のそれぞれを透過した光束を、前記撮影レンズの射出瞳の異なる領域を透過した一対の光束に分割する複数の絞り開口を備える絞りマスクと、
前記複数の視野開口の像を受光手段上に結像させる複数の再結像レンズ部を備える再結像光学系とを有する焦点検出装置において、
前記第１と第２の焦点検出領域の中心を結ぶ線上とは異なる位置に、クロス状の視野開口を持つ焦点検出領域をさらに有し、
前記クロス状の視野開口のうちの一方の矩形の視野開口を透過する像は前記第１の焦点検出領域に対応した絞り開口と再結像レンズ部を、他方の矩形の視野開口を透過する像は前記第２の焦点検出領域に対応した絞り開口と再結像レンズ部を用いることを特徴とする焦点検出装置。
【請求項２】  前記焦点検出領域は、すべてクロス状の視野開口を持つことを特徴とする請求項１に記載の焦点検出装置。
【請求項３】  前記焦点検出装置は、前記クロス状の視野開口が前記第１および第２の焦点検出領域に対応した視野開口に対して傾斜した傾斜部を有することを特徴とする請求項１または２に記載の焦点検出装置。
【請求項４】  撮影レンズによる像面内の互いに異なる位置に設定された第１から第３の焦点検出領域に対応した第１から第３の視野開口を備える視野マスクと、
前記視野マスクより前記撮影レンズの像側に配置され、前記第１の視野開口を通過した光束を前記撮影レンズの異なる領域を透過した一対の光束に分割する第１の絞り開口対と、前記第２の視野開口を通過した光束を前記撮影レンズの異なる領域を透過した一対の光束に分割する第２の絞り開口対とを備える絞りマスクと、
前記絞りマスクより前記撮影レンズの像側に配置され、前記第１の絞り開口対によって分割された一対の光束による像を受光手段上に結像させる第１の再結像レンズ対と、前記第２の絞り開口対によって分割された一対の光束による像を前記受光手段上に結像させる第２の再結像レンズ対とを備える再結像光学系とを有し、
前記受光手段は、前記第１の絞り開口対のうちの一方の開口および前記第１の再結像レンズ対のうちの一方のレンズを介して前記第３の視野開口を通過した光束を受光する第１の受光部と、前記第２の絞り開口対のうちの一方の開口および前記第２の再結像レンズ対のうちの一方のレンズを介して前記第３の視野開口を通過した光束を受光する第２の受光部とを備えることを特徴とする焦点検出装置。
【請求項５】  前記焦点検出装置は、前記第１の視野開口と前記第２の視野開口が互いに交差して設けられ、
前記第３の視野開口が前記第１および第２の視野開口に対して傾斜していることを特徴とする請求項４に記載の焦点検出装置。
【手続補正２】
【補正対象書類名】明細書
【補正対象項目名】００１０
【補正方法】変更
【補正の内容】
【００１０】
請求項２の発明は、前記焦点検出領域は、すべてクロス状の視野開口を持つことを特徴とする。
請求項３の発明は、クロス状の視野開口（２０４）が前記第１および第２の焦点検出領域に対応した視野開口（２０１，２０２）に対して傾斜した傾斜部を有することを特徴とする。
請求項４の発明は、撮影レンズ（１００）による像面内の互いに異なる位置に設定された第１から第３の焦点検出領域に対応した第１から第３の視野開口（２０１，２０１，２０４）を備える視野マスク（２００）と、視野マスク（２００）より撮影レンズ（１００）の像側に配置され、前記第１の視野開口（２０１）を通過した光束を前記撮影レンズ（１００）の異なる領域を透過した一対の光束に分割する第１の絞り開口対（４０１，４０２）と、第２の視野開口（２０１）を通過した光束を前記撮影レンズの異なる領域を透過した一対の光束に分割する第２の絞り開口対（４０３，４０４）とを備える絞りマスク（４００）と、絞りマスク（４００）より撮影レンズ（１００）の像側に配置され、第１の絞り開口対（４０１，４０２）によって分割された一対の光束による像を受光手段（６００）上に結像させる第１の再結像レンズ対（５０１，５０２）と、第２の絞り開口対（４０３，４０４）によって分割された一対の光束による像を受光手段（６００）上に結像させる第２の再結像レンズ対（５０３，５０４）とを備える再結像光学系（５００）とを有し、受光手段（６００）は、第１の絞り開口対（４０１，４０２）のうちの一方の開口（４０１）および第１の再結像レンズ対（５０１，５０２）のうちの一方のレンズ（５０１）を介して第３の視野開口（２０４）を通過した光束を受光する第１の受光部（６１５）と、第２の絞り開口対（４０３，４０４）のうちの一方の開口（４０４）および第２の再結像レンズ対（５０３，５０４）のうちの一方のレンズ（５０４）を介して第３の視野開口（２０４）を通過した光束を受光する第２の受光部（６１６）とを備えることを特徴とする。
請求項５の発明は、第１の視野開口（２０１）と第２の視野開口（２０１）が互いに交差して設けられ、第３の視野開口（２０４）が第１および第２の視野開口（２０１，２０１）に対して傾斜していることを特徴とする。
【手続補正３】
【補正対象書類名】明細書
【補正対象項目名】００１４
【補正方法】変更
【補正の内容】
【００１４】
さらに、被写界からの光束のうち、視野開口２０１とは反対側の視野開口２０３のｘ軸方向に延びた矩形の開口部を通る光束は、コンデンサーレンズ３００のレンズ部３０３を介し、撮影レンズ１００の射出瞳とほぼ共役な位置に配置された絞りマスク４００の絞り開口４０９，４１０および再結像光学系５００の再結像レンズ部５０９，５１０を介して分割され、それぞれＣＣＤチップ６００の受光素子列６０９，６１０上に結像する。視野開口２０３のｙ軸方向に延びた矩形の開口部を通る光束は、コンデンサーレンズ３００のレンズ部３０３を介し、撮影レンズ１００の射出瞳とほぼ共役な位置に配置された絞りマスク４００の絞り開口４１１，４１２および再結像光学系５００の再結像レンズ部５１１，５１２を介して分割され、それぞれＣＣＤチップ６００の受光素子列６１１，６１２上に結像する。
【手続補正４】
【補正対象書類名】明細書
【補正対象項目名】００１６
【補正方法】変更
【補正の内容】
【００１６】
視野開口２０４，２０５，２０６，２０７を透過する像について詳細に説明すると、被写界からの光束のうち、視野開口２０４の撮影レンズ１００の光軸Ｌに対して円周方向に延びた矩形の開口部を通る光束は、コンデンサーレンズ３００のレンズ部３０４を介し、撮影レンズ１００の射出瞳とほぼ共役な位置に配置された絞りマスク４００の視野開口２０２に対応する絞り開口である絞り開口４０６，４０８および再結像光学系５００の視野開口２０２に対応する再結像レンズ部である再結像レンズ部５０６，５０８を介して分割され、それぞれＣＣＤチップ６００の受光素子列６２３，６２４上に結像する。視野開口２０４の撮影レンズ１００の光軸Ｌに対して径方向に延びた矩形の開口部を通る光束は、コンデンサーレンズ３００のレンズ部３０４を介し、撮影レンズ１００の射出瞳とほぼ共役な位置に配置された絞りマスク４００の視野開口２０２とは異なる視野開口２０１に対応する絞り開口である絞り開口４０１，４０４および再結像光学系５００の視野開口２０２とは異なる視野開口２０１に対応する再結像レンズ部である再結像レンズ部５０１，５０４を介して分割され、それぞれＣＣＤチップ６００の受光素子列６１５，６１６上に結像する。
【手続補正５】
【補正対象書類名】明細書
【補正対象項目名】００２０
【補正方法】変更
【補正の内容】
【００２０】
このように、視野開口２０４，２０５，２０６，２０７を透過する光束は、視野開口２０１，２０２，２０３に対応する焦点検出領域に対応した絞り開口と再結像レンズ部を用いている。図２において、視野開口と視野開口像との関係を説明する。視野開口２０１は視野開口像７０１，７０２，７０３，７０４に、視野開口２０２は視野開口像７０５，７０６，７０７，７０８に、視野開口２０３は視野開口像７０９，７１０，７１１，７１２に、視野開口２０４は視野開口像７１５，７１６、７２３，７２４に、視野開口２０５は視野開口像７１３，７１４，７２１，７２２に、視野開口２０６は視野開口像７１９，７２０，７２７，７２８に、視野開口２０７は視野開口像７１７，７１８，７２５，７２６にそれぞれ対応する。
【手続補正６】
【補正対象書類名】明細書
【補正対象項目名】００２４
【補正方法】変更
【補正の内容】
【００２４】
また、請求項２によれば、請求項１の焦点検出装置において、すべての焦点検出領域をクロス状の視野開口を持つようにしたので、焦点検出光学系の構成要素を増やすことなく、焦点検出に苦手とする被写体を大幅に減らすことが可能となる。
また、請求項３によれば、請求項１または２の焦点検出装置において、クロス状の視野開口が第１および第２の焦点検出領域に対応した視野開口に対して傾斜した傾斜部を有するようにしたので、焦点検出に苦手とする被写体を大幅に減らすことが可能となる。
また、請求項４によれば、受光手段が第１の絞り開口対のうちの一方の開口および第１の再結像レンズ対のうちの一方のレンズを介して第３の視野開口を通過した光束を受光する第１の受光部と、第２の絞り開口対のうちの一方の開口および第２の再結像レンズ対のうちの一方のレンズを介して第３の視野開口を通過した光束を受光する第２の受光部とを備えるようにしたので、焦点検出光学系の構成要素が大幅に簡素化できる。
また、請求項５によれば、請求項４の焦点検出装置において、第１の視野開口と第２の視野開口が互いに交差して設けられ、第３の視野開口が第１および第２の視野開口に対して傾斜しているようにしたので、焦点検出に苦手とする被写体を大幅に減らすことが可能となる。